(57)【特許請求の範囲】
【請求項１】
敷きマットおよび掛けシートと、少なくとも上記敷きマットの内部に熱交換用の空気を供給する一方、この空気を回収して上記熱交換用の空気にする熱交換器と、一端部が上記敷きマットに連通し、他端部が上記熱交換機に連通してこれら敷きマットと熱交換機とのうち、いずれか一方から他方に向けて上記空気を流動させる可撓性ダクトとを備えた空調式マット装置において、
上記ダクトのほぼ全体を上記掛けシートに取り付けたことを特徴とする空調式マット装置。
【請求項２】
上記ダクトを左右一対設け、これら各ダクトを上記掛けシートの左右各端縁部に取り付けたことを特徴とする請求項１に記載の空調式マット装置。
【請求項３】
上記熱交換器を上記敷きマット上における横臥者の足部側の外方に配置し、上記ダクトの一端部を上記敷きマット上における横臥者の頭部側の端部に連結したことを特徴とする請求項１、もしくは２に記載の空調式マット装置。
【請求項４】
上記掛けシートの少なくとも一部により上記ダクトを構成したことを特徴とする請求項１から３のうちいずれか１つに記載の空調式マット装置。
【請求項５】
上記掛けシートのほぼ全体により上記ダクトを構成したことを特徴とする請求項１に記載の空調式マット装置。
【請求項６】
上記掛けシートとダクトとの各上面のうち、少なくともいずれか一方の上面を覆うよう断熱層を設けたことを特徴とする請求項１から５のうちいずれか１つに記載の空調式マット装置。
【発明の詳細な説明】
【技術分野】
【０００１】
本発明は、敷きマットの内部に熱交換用の空気を供給する一方、上記敷きマットの内部を流動した後の空気を回収して上記熱交換用の空気にする熱交換機を備えた空調式マット装置に関するものである。
【背景技術】
【０００２】
上記マット装置には、従来、下記特許文献１，２に示されるものがある。この特許文献１のものによれば、マット装置は、互いに重なる敷きマットおよび掛けシートと、これらの各内部に熱交換用の空気を供給する熱交換機とを備えている。
【０００３】
一方、特許文献２のものによれば、マット装置は、敷きマットと、この敷きマットの内部に熱交換用の空気を供給する一方、この空気を回収して上記熱交換用の空気にする熱交換器と、一端部が上記敷きマットに連結され、他端部が上記熱交換機に連結されてこれら敷きマットと熱交換機とのうち、いずれか一方から他方に向けて上記空気を流動させる可撓性ダクトとを備えている。
【０００４】
そして、上記熱交換機を駆動させれば、この熱交換機で生成される熱交換用空気が上記敷きマットの長手方向の一端部内に供給される。次に、この空気は、上記敷きマット内を他端部に向けて流動し、この際、この空気と上記敷きマット上の人との間で熱交換され、人は冷却、もしくは暖められる。次に、上記空気は上記ダクトを通して上記熱交換機に回収され、ここで、再び熱交換用空気とされて、上記敷きマットに向けて供給される。
【特許文献１】特開平１０−２２５３５６号公報
【特許文献２】特開平１０−１７４６３６号公報
【発明の開示】
【発明が解決しようとする課題】
【０００５】
ところで、上記特許文献２における上記ダクトは、上記敷きマットとは個別に設けられている。
【０００６】
また、特許文献１において、敷きマットや掛けシートの内部を流動した後の空気を熱交換機に回収させようとして、仮に、この特許文献１に上記特許文献２のダクトを適用した場合にも、このダクトは上記敷きマットや掛けシートとも個別に設けられることとなる。
【０００７】
このため、上記したマット装置は、敷きマットや掛けシートに加えて、ダクトを個別に備えることとなる。よって、このマット装置の部品点数が増えて、その構成が複雑になる。また、マット装置が大型になって、例えば、自動車の運転台など狭いところへの設置がし難くなるという不都合もある。
【課題を解決するための手段】
【０００８】
本発明は、上記のような事情に注目してなされたもので、本発明の目的は、マット装置の構成を簡単、かつ、小型にできるようにすることである。
【０００９】
請求項１の発明は、全図に例示するように、敷きマット２および掛けシート３と、少なくとも上記敷きマット２の内部に熱交換用の空気４を供給する一方、この空気４を回収して上記熱交換用の空気４にする熱交換器５と、一端部６が上記敷きマット２に連通し、他端部７が上記熱交換機５に連通してこれら敷きマット２と熱交換機５とのうち、いずれか一方から他方に向けて上記空気４を流動させる可撓性ダクト８とを備えた空調式マット装置において、
上記ダクト８のほぼ全体を上記掛けシート３に取り付けたことを特徴とする空調式マット装置である。
【００１０】
請求項２の発明は、図１〜４に例示するように、上記ダクト８を左右一対設け、これら各ダクト８を上記掛けシート３の左右各端縁部に取り付けたことを特徴とする請求項１に記載の空調式マット装置である。
【００１１】
請求項３の発明は、全図に例示するように、上記熱交換器５を上記敷きマット２上における横臥者１６の足部１８側の外方に配置し、上記ダクト８の一端部６を上記敷きマット２上における横臥者の頭部１７側の端部に連結したことを特徴とする請求項１、もしくは２に記載の空調式マット装置である。
【００１２】
請求項４の発明は、全図に例示するように、上記掛けシート３の少なくとも一部により上記ダクト８を構成したことを特徴とする請求項１から３のうちいずれか１つに記載の空調式マット装置である。
【００１３】
請求項５の発明は、図５〜９に例示するように、上記掛けシート３のほぼ全体により上記ダクト８を構成したことを特徴とする請求項１に記載の空調式マット装置である。
【００１４】
請求項６の発明は、特に図１０，１１に例示するように、上記掛けシート３とダクト８との各上面のうち、少なくともいずれか一方の上面を覆うよう断熱層４１を設けたことを特徴とする請求項１から５のうちいずれか１つに記載の空調式マット装置である。
【００１５】
なお、この項において、上記各用語に付記した符号や図面番号は、本発明の技術的範囲を後述の「実施例」の項や図面の内容に限定解釈するものではない。
【発明の効果】
【００１６】
本発明による効果は、次の如くである。
【００１７】
請求項１の発明は、敷きマットおよび掛けシートと、少なくとも上記敷きマットの内部に熱交換用の空気を供給する一方、この空気を回収して上記熱交換用の空気にする熱交換器と、一端部が上記敷きマットに連通し、他端部が上記熱交換機に連通してこれら敷きマットと熱交換機とのうち、いずれか一方から他方に向けて上記空気を流動させる可撓性ダクトとを備えた空調式マット装置において、
上記ダクトのほぼ全体を上記掛けシートに取り付けている。
【００１８】
このため、上記ダクトは掛けシートに一体的に設けられるため、第１に、マット装置の部品点数を少なくできて、このマット装置の構成を簡単にできる。また、第２に、上記敷きマットや掛けシートに対し、上記ダクトを個別に設けて、これらが個別に配置されることに比べて、上記マット装置を、より小型にできる。
【００１９】
請求項２の発明は、上記ダクトを左右一対設け、これら各ダクトを上記掛けシートの左右各端縁部に取り付けている。
【００２０】
このため、上記マット装置を左右対称形にできて、外観上の見栄えが向上する。また、上記各ダクトから横臥者に与えられる負荷状態や、熱交換状態を左右均等にできて寝心地が向上するなど、好ましい。
【００２１】
請求項３の発明は、上記熱交換器を上記敷きマット上における横臥者の足部側の外方に配置し、上記ダクトの一端部を上記敷きマット上における横臥者の頭部側の端部に連結している。
【００２２】
このため、上記熱交換機の騒音が上記横臥者の頭部に達することが抑制され、寝心地が向上するなど、この横臥者にとって好ましい。
【００２３】
請求項４の発明は、上記掛けシートの少なくとも一部により上記ダクトを構成している。
【００２４】
このため、上記掛けシートの一部により上記ダクトが構成された分、ダクトの構成を簡単にでき、つまり、マット装置の構成を、より簡単にできる。また、上記掛けシートの一部であるダクトにより、横臥者との間で熱交換ができるため、その熱交換効率が向上して、寝心地がより向上するなど、横臥者にとってより好ましい。
【００２５】
請求項５の発明は、上記掛けシートのほぼ全体により上記ダクトを構成している。
【００２６】
このため、上記掛けシートのほぼ全体によりダクトが構成された分、ダクトの構成を極めて簡単にでき、つまり、マット装置の構成を更に簡単にできる。また、上記掛けシートのほぼ全体にであるダクトにより、横臥者との間で熱交換ができるため、その熱交換効率が極めて向上して、寝心地が更に向上するなど、横臥者にとって更に好ましい。
【００２７】
請求項６の発明は、上記掛けシートとダクトとの各上面のうち、少なくともいずれか一方の上面を覆うよう断熱層を設けている。
【００２８】
このため、上記マット装置と大気側との間で生じようとする熱交換は上記断熱層により防止される。よって、上記マット装置の内部における空気と横臥者との間の所望の熱交換が、大気側の温度に大きくは影響されることなく効果的に行われる。
【００２９】
また、上記マット装置を搭載した車両など、このマット装置の周辺に火災が発生した際、この火災による火炎がこのマット装置に直ちに広がろうとすることが、より確実に防止される。よって、横臥者がマット装置から脱出したり、このマット装置をその場から持ち出したりする時間をより長く採ることができて好ましい。
【発明を実施するための最良の形態】
【００３０】
本発明の空調式マット装置に関し、マット装置の構成を簡単、かつ、小型にできるようにする、という目的を実現するため、本発明を実施するための最良の形態は、次の如くである。
【００３１】
即ち、空調式マット装置は、敷きマットおよび掛けシートと、少なくとも上記敷きマットの内部に熱交換用の空気を供給する一方、この空気を回収して上記熱交換用の空気にする熱交換器と、一端部が上記敷きマットに連通し、他端部が上記熱交換機に連通してこれら敷きマットと熱交換機とのうち、いずれか一方から他方に向けて上記空気を流動させる可撓性ダクトとを備えている。上記ダクトのほぼ全体を上記掛けシートに取り付けている。
【実施例１】
【００３２】
本発明をより詳細に説明するために、その実施例１を添付の図１〜４に従って説明する。
【００３３】
図において、符号１は、車両搭載用など空調式マット装置であり、このマット装置１は、互いに重なる敷きマット２および掛けシート３と、少なくとも上記敷きマット２の内部に熱交換用の空気４を供給する一方、この空気４を回収して上記熱交換用の空気４にする熱交換機５と、一端部６が上記敷きマット２に連通し、他端部７が上記熱交換機５に連通してこれら敷きマット２と熱交換機５とのうち、いずれか一方から他方に向けて上記空気４を流動させる可撓性ダクト８とを備えている。上記敷きマット２、掛けシート３、およびダクト８は互いに一体的に形成され、つまり、マット装置１は一体的な寝袋のような構造とされている。
【００３４】
上記敷きマット２は、平面視が長方形状をなし、断面がＵ字形状をなすマット部材１１と、このマット部材１１の外面に全体的に面接触するようこのマット部材１１を全体的に覆うカバー体１２とを備えている。上記マット部材１１の幅、長さは、５０〜７０ｃｍ、１７０〜１９０ｃｍである。但し、この数値や、以下に説明の各数値は、これらに限定されるものではない。
【００３５】
上記マット部材１１は、単数もしくは複数のポリエステル樹脂製の弾性細線材を三次元的にジグザグ状に屈曲させて互いに絡み合わせたものである。また、マット部材１１に所定の通気性を確保する上で、空隙率は８０％以上とされている。また、このマット部材１１に対するその厚さ方向における外力を２０００Ｎ／ｍ２とした場合、弾性変形後の厚さ／元の厚さ＝６０％以上とされている。
【００３６】
上記カバー体１２は、非通気性の樹脂繊維シート製であるが、人体の湿気を透過させて上記マット部材１１側に吸湿させる一方、人体の温度を放熱させる作用を有するものである。
【００３７】
上記敷きマット２上の凹部１５内に就寝者が横臥可能とされている。この横臥者１６の頭部１７を囲む上記敷きマット２の部分の上記カバー体１２は、その内部から外部に向かって空気４の一部をわずかに吹き出し可能となるよう構成されている。この場合、上記敷きマット２の部分の高さは、横臥者１６の頭部１７の高さとほぼ同じ、もしくは、これより高くされている。このため、この頭部１７についての冷却、もしくは暖房効果が向上する。具体的には、上記敷きマット２の部分の高さは、その内底部からみて１５〜３０ｃｍ程度が好ましい。
【００３８】
上記掛けシート３は、偏平な袋形状をなし、その材質は、上記カバー体１２と同じとされている。上記掛けシート３は、上記横臥者１６の頭部１７の上方を除き、この頭部１７側から足部１８側に至る上記凹部１５の開口を全体的に覆うよう設けられている。上記掛けシート３の幅方向の中央部における上記頭部１７側の端部から上記足部１８側に向かって延びる割線により、上記掛けシート３が左右に分断され、この両分断端縁はファスナー２１により着脱可能とされている。
【００３９】
上記ダクト８の材質は、上記カバー体１２と同じとされている。上記ダクト８は左右一対設けられ、これら各ダクト８は上記掛けシート３の左右各端縁部の長手方向に沿って延びている。そして、上記各ダクト８の長手方向のほぼ全体が、上記掛けシート３の各端縁部にそれぞれ溶着や縫合によって一体的に取り付けられている。この場合、上記掛けシート３の少なくとも一部である左右各端縁部は上記各ダクト８により構成されている。上記敷きマット２と掛けシート３とにおけるそれぞれ上記横臥者１６の頭部１７側の側端部に連通孔２３が形成されている。上記各ダクト８の一端部６は、上記連通孔２３が形成された上記各掛けシート３の部分に連結され、上記各連通孔２３を通し上記敷きマット２と掛けシート３との各内部に連通させられている。なお、上記各ダクト８の一端部６は、上記敷きマット２に連結してもよい。
【００４０】
上記熱交換機５は、上記敷きマット２における上記横臥者１６の足部１８側の外方近傍に配置されている。具体的には、上記熱交換機５は敷きマット２の長手方向の外方近傍に配置されている。上記敷きマット２と掛けシート３とにおけるそれぞれ上記横臥者１６の足部１８側の端部は他の連通孔２４を通して上記熱交換機５に連結されている。
【００４１】
上記マット装置１における熱交換機５を作動させれば、図１〜３中、実線、破線で示すように、この熱交換機５から吐出される空気４は、上記ダクト８の他端部７内に供給される。そして、上記空気４は上記各ダクト８の内部を、その一端部６側に向かって流動する。
【００４２】
図１〜３中、二点鎖線で示すように、上記各ダクト８の一端部６に達した空気４の一部分４ａは、上記各連通孔２３を通して、上記敷きマット２における頭部１７側の内部に供給される。上記空気４の一部分４ａは上記敷きマット２の内部のマット部材１１内を足部１８側に向かって流動し、その後、上記他の連通孔２４を通して上記熱交換機５に回収される。
【００４３】
一方、図１〜３中、一点鎖線で示すように、上記各ダクト８の一端部６に達した空気４の他部分４ｂは、上記各連通孔２３を通して、上記掛けシート３における頭部１７側の内部に供給される。上記空気４の他部分４ｂは上記掛けシート３の内部を足部１８側に向かって流動し、その後、上記他の連通孔２４を通して上記熱交換機５に回収される。
【００４４】
そして、上記敷きマット２と掛けシート３との各内部を流動する空気４と、上記敷きマット２と掛けシート３との間における横臥者１６との間で熱交換が行われて、上記マット装置１への寝心地が向上させられるようになっている。
【００４５】
なお、以上は図示の例によるが、上記マット装置１内に横臥した横臥者１６が、その手や足を外部に出すことができる開口部を上記マット装置１に形成してもよい。一方、上記敷きマット２、掛けシート３、および各ダクト８をそれぞれ個別に形成し、これら面ファスナーなどにより互いに着脱可能に固着して、上記マット装置１を形成するようにしてもよい。
【００４６】
また、上記敷きマット２におけるマット部材１１を板形状とし、この敷きマット２のカバー体１２の左右各側部を中空としてもよい。また、これとは逆に、上記掛けシート３の内部に、上記マット部材１１と同材質のマット部材を内有させてもよい。また、上記掛けシート３には空気４を流動させなくてもよい。また、上記した空気４の流動方向は、上記図例とは逆であってもよい。
【００４７】
また、上記マット部材１１の外面において、その長手方向と幅方向とのうち、少なくとも幅方向に延びる通気用溝を長手方向に所定間隔で形成してもよい。これによれば、上記マット装置１を収納する際、その長手方向の一端部側から巻回することが容易にできる。そして、この巻回により、上記マット装置１を小型にでき、その収納が容易にできる。
【００４８】
また、上記敷きマット２と掛けシート３との重ね合わせ面のうち、少なくともいずれか一方の面にインナシーツを取り付けてもよい。上記敷きマット２、掛けシート３、およびインナシーツの材料としては、非通気性で透湿性のものがよく、敷きマット２と掛けシート３の各外面側の部分については、断熱性のものにすることが好ましい。また、これらの材料については、必要な部分に酸化チタン等の光触媒や銀イオンによる加工をし、この材料を防カビ、除菌、防臭可能なものとしてもよい。
【００４９】
また、上記敷きマット２、掛けシート３、およびインナシーツのいずれかの所望部位に蓄冷材を設けてもよい。この場合、敷きマット２、掛けシート３、およびインナシーツにおいて、これらのいずれかの少なくとも一方の表面に上記蓄冷材を設けることが好ましい。この蓄冷材としては、相転移物質（ＰＣＭ）を利用することが好ましい。また、この蓄冷材として、熱吸収もしくは熱放散のピークが２０〜２５℃である相転移物質を使用することが、より好ましい。
【００５０】
上記のように蓄冷材を利用すると、上記熱交換機５の負荷を抑制できる。ここで、この熱交換機５がインバータにより制御されるものでない場合には、この熱交換機５の作動（オン）、停止（オフ）に基づき、マット装置１の温度の上昇、下降の変動量が大きくなりがちである。しかし、上記のように蓄冷材を利用すると、上記マット装置１の温度の変動を小さく抑制できて、マット装置１への寝心地をより向上させることができる。
【００５１】
また、上記熱交換機５を容量の大きい冷却用のものとし、上記横臥者１６を遺体として、上記マット装置１を遺体の安置用や搬送用に適用してもよい。
【００５２】
また、上記掛けシート３とダクト８との各上面のうち、少なくともいずれか一方の上面を覆うよう断熱層４１を設けてもよく、この断熱層４１については、後述の実施例５において、詳述する。
【００５３】
上記構成によれば、ダクト８のほぼ全体を上記掛けシート３に取り付けている。
【００５４】
このため、上記ダクト８は掛けシート３に一体的に設けられるため、第１に、マット装置１の部品点数を少なくできて、このマット装置１の構成を簡単にできる。また、第２に、上記敷きマット２や掛けシート３に対し、上記ダクト８を個別に設けて、これらが個別に配置されることに比べて、上記マット装置１を、より小型にできる。
【００５５】
また、前記したように、ダクト８を左右一対設け、これら各ダクト８を上記掛けシート３の左右各端縁部に取り付けている。
【００５６】
このため、上記マット装置１を左右対称形にできて、外観上の見栄えが向上する。また、上記各ダクト８から横臥者１６に与えられる負荷状態や、熱交換状態を左右均等にできて寝心地が向上するなど、好ましい。
【００５７】
また、前記したように、熱交換器５を上記敷きマット２上における横臥者１６の足部１８側の外方に配置し、上記ダクト８の一端部６を上記敷きマット２上における横臥者の頭部１７側の端部に連結している。
【００５８】
このため、上記熱交換機５の騒音が上記横臥者１６の頭部１７に達することが抑制され、寝心地が向上するなど、この横臥者１６にとって好ましい。
【００５９】
また、前記したように、掛けシート３の少なくとも一部により上記ダクト８を構成している。
【００６０】
このため、上記掛けシート３の一部により上記ダクト８が構成された分、ダクト８の構成を簡単にでき、つまり、マット装置１の構成を、より簡単にできる。また、上記掛けシート３の一部であるダクト８により、横臥者１６との間で熱交換ができるため、その熱交換効率が向上して、寝心地がより向上するなど、横臥者１６にとってより好ましい。
【００６１】
以下の図５〜９は、実施例２〜４を示している。これら各実施例は、前記実施例１と構成、作用効果において多くの点で共通している。そこで、これら共通するものについては、図面に共通の符号を付してその重複した説明を省略し、異なる点につき主に説明する。また、これら各実施例における各部分の構成を、本発明の目的、作用効果に照らして種々組み合せてもよい。
【実施例２】
【００６２】
本発明をより詳細に説明するために、その実施例２を添付の図５に従って説明する。
【００６３】
図５において、上記敷きマット２と掛けシート３とは共に平坦な形状とされている。上記敷きマット２と掛けシート３とはそれぞれ個別に形成され、これら２，３は、横臥者１６の頭部１７側を除き、各端縁部が面ファスナー２６により着脱可能に固着されている。
【００６４】
上記掛けシート３のほぼ全体により上記ダクト８が構成されている。マット装置１の平面視で、上記掛けシート３の各角部が上記一端部６とされて上記連通孔２３が形成されている。上記敷きマット２と掛けシート３とにおける上記各連通孔２３の開口縁部は、それぞれ上記面ファスナー２６により互いに固着され、上記連通孔２３を流動する空気４の漏出が防止されている。
【００６５】
上記構成によれば、掛けシート３のほぼ全体によりダクト８が構成された分、ダクト８の構成を極めて簡単にでき、つまり、マット装置１の構成を更に簡単にできる。また、上記掛けシート３のほぼ全体にであるダクト８により、横臥者１６との間で熱交換ができるため、その熱交換効率が極めて向上して、寝心地が更に向上するなど、横臥者１６にとって更に好ましい。
【実施例３】
【００６６】
本発明をより詳細に説明するために、その実施例３を添付の図６，７に従って説明する。
【００６７】
図６，７において、上記敷きマット２と掛けシート３とは共に平坦な形状をなしている。上記敷きマット２と掛けシート３とはそれぞれ個別に形成され、これら２，３は、横臥者１６の頭部１７側を除き、各端縁部が面ファスナーにより着脱可能に固着される。
【００６８】
上記掛けシート３のほぼ全体により上記ダクト８が構成されている。上記敷きマット２は、互いに嵌合する第１、第２部材２９，３０を備え、これら２９，３０は面ファスナーにより互いに着脱可能に固着されている。上記第１部材２９は、上記敷きマット２における横臥者１６の頭部１７側における左右各側部を構成する左右側部材３２，３２と、これら側部材３２，３２の足部１８側の端部を一体的に結合させ、上記敷きマット２における足部１８側の端部を構成する端部材３３とを備え、平面視で、頭部１７側に向かって開くコの字形状とされている。
【００６９】
一方、上記第２部材３０は、上記左右側部材３２，３２の間に嵌入されると共に、上記端部材３３の上面に載置され、上記敷きマット２における足部１８側の幅方向中央部を構成する中央部材３５と、この中央部材３５の頭部１７側の端部に一体的に結合され、上記敷きマット２における頭部１７側の端部を構成する端部材３６とを備え、平面視で、Ｔ字形状をなしている。
【００７０】
図６，７中、矢印で示すように、熱交換機５から吐出された空気４は、まず、敷きマット２の第１部材２９および掛けシート３に対し分流して、これらを流動した後、敷きマット２の第２部材３０の端部材３６で集合させられ、この第２部材３０を流動した後、熱交換機５に回収されるようになっている。
【実施例４】
【００７１】
本発明をより詳細に説明するために、その実施例４を添付の図８，９に従って説明する。
【００７２】
この実施例４の構成は、上記実施例３とほぼ同様であるが、空気４の流動経路が異なっている。
【００７３】
即ち、図８，９中、矢印で示すように、熱交換機５から吐出された空気４は、まず、敷きマット２の第１部材２９を流動した後、敷きマット２の第１部材２９および掛けシート３に分流して、これらを流動した後、熱交換機５に回収されるようになっている。
【実施例５】
【００７４】
本発明をより詳細に説明するために、その実施例５を添付の図１０，１１に従って説明する。
【００７５】
上記敷きマット２における上記カバー体１２の内部で、マット部材１１の上面に他のマット部材３９が敷設されている。この他のマット部材３９は、平面視でハニカム形状となるよう紐材により形成された上、下網体と、上下方向に延びてこれら上、下網体を互いに連結する多数の樹脂製の弾性細線材とを備えている。上記各網体は、それぞれ平面視で互いに同形同大の６角形状をなす上記紐材製の枠体を多数有し、これら枠体は水平方向に規則正しく連設され、かつ、互いに一体的に連結されている。なお、上記したハニカム形状を形成する枠体は、厳密な６角形である必要はなく、この枠体は４角形状であってもよい。
【００７６】
上記ダクト８は、マット装置１の平面視で、上記掛けシート３とほぼ同形同大とされ、この掛けシート３の上面のほぼ全体にわたり重ね合わされている。上記掛けシート３とダクト８との上記横臥者１６の頭部１７側の端部において、上記マット装置１の幅方向の一側部にのみ、上記連通孔２３が形成されている。そして、この連通孔２３を通しこれら掛けシート３とダクト８との各内部が互いに連通させられている。一方、上記敷きマット２の上記横臥者１６の足部１８側の端部において、上記マット装置１の幅方向の他側部では、上記敷きマット２の側部が掛けシート３の側部よりも外側方に延出し、上記敷きマット２の側部に上記他の連通孔２４が形成されている。
【００７７】
上記掛けシート３とダクト８との各上面のうち、少なくともいずれか一方の上面を覆うよう可撓性断熱層４１が設けられている。より具体的には、上記掛けシート３とダクト８との各上面のうち、より上側に位置する上面のほぼ全体を覆うよう上記断熱層４１が設けられている。図例では、上記ダクト８の上面のほぼ全体を覆うよう上記断熱層４１が設けられ、この断熱層４１は上記ダクト８に取り付けられている。この断熱層４１は平板形状の断熱材層４２と、この断熱材層４２を上記ダクト８の上面と協同して全体的に覆うカバー体４３とを備えている。
【００７８】
上記断熱材層４２は、天然繊維と合成繊維とのうち、少なくともいずれか一方の繊維を詰めて平板形状にすることにより形成される。この繊維は、難燃性を有するものが望ましく、具体的には、ウールやモダアクリル繊維などである。なお、この場合、上記断熱材層４２は、難燃性を有するフェルトや不織布等により形成してもよい。
【００７９】
また、上記断熱材層４２は、難燃性を有する天然繊維や合成繊維を３０質量％以上含有するものが好ましく、５０質量％以上含有することが、より好ましい。
【００８０】
また、上記カバー体４３は、前記カバー体１２と同様の構成であるが、上記断熱材層４２と同様に難燃性を有している。
【００８１】
なお、図示していないが、敷きマット２のカバー体１２の内底面、および側面と、掛けシート３とダクト８との各天井面、および各側面とには、それぞれ全体にわたり断熱シートが接合させられている。
【００８２】
上記構成によれば、上記掛けシート３とダクト８との各上面のうち、少なくともいずれか一方の上面を覆うと共に、この面に取り付けられる断熱層４１を設けている。具体的には、上記掛けシート３の上面よりも上側のダクト８の上面を全体的に覆うようこの上面に断熱層４１を取り付けている。
【００８３】
このため、上記マット装置１と大気側との間で生じようとする熱交換は上記断熱層４１により防止される。よって、上記マット装置１の内部における空気４と横臥者１６との間の所望の熱交換が、大気側の温度に大きくは影響されることなく効果的に行われる。
【００８４】
また、上記マット装置１を搭載した車両など、このマット装置１の周辺に火災が発生した際、この火災による火炎がこのマット装置１に直ちに広がろうとすることが、より確実に防止される。よって、横臥者１６がマット装置１から脱出したり、このマット装置１をその場から持ち出したりする時間をより長く採ることができて好ましい。
【００８５】
上記掛けシート３、ダクト８、および断熱層４１は互いに連結されて一体的な組み合わせ体３，８，４１とされており、この組み合わせ体３，８，４１と上記敷きマット２とにおけるマット装置１の幅方向の各一側縁部同士は、面ファスナーにより互いに着脱可能に連結されている。一方、上記組み合わせ体３，８，４１と上記敷きマット２とにおけるマット装置１の幅方向の各他側縁部同士は、上記横臥者１６の頭部１７側の端部を含むほぼ全体が前記ファスナー２１により着脱可能に連結されている。
【００８６】
このため、上記マット装置１内の凹部１５への横臥者１６の出入りは、上記組み合わせ体３，８，４１と敷きマット２との各他側縁部同士の連結を上記ファスナー２１への操作により解除させることにより、極めて円滑かつ容易にできる。また、このことから、前記車両などの火災時には、横臥者１６は上記ファスナー２１を操作することにより、かつ、上記組み合わせ体３，８，４１と敷きマット２との上記面ファスナーによる連結を解除することによって、マット装置１から迅速に脱出できる。
【図面の簡単な説明】
【００８７】
【図１】実施例１を示し、マット装置の斜視図である。
【図２】実施例１を示し、マット装置の平面図である。
【図３】実施例１を示し、マット装置の側面図である。
【図４】実施例１を示し、図２のIV−IV線矢視断面図である。
【図５】実施例２を示し、図２に相当する図である。
【図６】実施例３を示し、図２に相当する展開図である。
【図７】実施例３を示し、図３に相当する展開図である。
【図８】実施例４を示し、図２に相当する展開図である。
【図９】実施例４を示し、図３に相当する展開図である。
【図１０】実施例５を示し、図２相当する図である。
【図１１】実施例５を示し、図３に相当する図である。
【符号の説明】
【００８８】
１    マット装置
２    敷きマット
３    掛けシート
４    空気
４ａ  一部分
４ｂ  他部分
５    熱交換機
６    一端部
７    他端部
８    ダクト
１１  マット部材
１２  カバー体
１５  凹部
１６  横臥者
１７  頭部
１８  足部
２３  連通孔
２４  他の連通孔
３９  他のマット部材
４１  断熱層
４２  断熱材層
４３  カバー体
【図１】
0005268507.tif 000002
【図２】
0005268507.tif 000003
【図３】
0005268507.tif 000004
【図４】
0005268507.tif 000005
【図５】
0005268507.tif 000006
【図６】
0005268507.tif 000007
【図７】
0005268507.tif 000008
【図８】
0005268507.tif 000009
【図９】
0005268507.tif 000010
【図１０】
0005268507.tif 000011
【図１１】
0005268507.tif 000012